(57)【特許請求の範囲】
【請求項１】
ダンボール（２）をパレット（１）に載置し、対応する顧客（Ｃ）へ出庫した後、前記パレット（１）を回収するための管理システムであって、
ダンボール（２）は商品情報を有する棚札（２０）を備え、パレット（１）はＩＤ情報を有するタグ（３）及びバーコード（５）を備えるものであり、
管理システムは、商品情報読取手段と、タグ読取無線手段と、バーコード読取手段と、顧客情報入力手段と、情報関連付け手段と、情報記憶手段と、管理手段とを備え、
商品情報読取手段は、ダンボール（２）の商品情報を読み取る手段であり、
タグ読取無線手段及び／又はバーコード読取手段は、パレット（１）のＩＤ情報を読み取る手段であり、
顧客情報入力手段は、使用者が顧客情報を入力する手段であり、
情報関連付け手段は、商品情報とＩＤ情報と顧客情報のそれぞれを関連付ける手段であり、
情報記憶手段は、商品情報とＩＤ情報と顧客情報と関連付け情報とパレットＩＤそれぞれの出庫と回収状態とを記憶する手段であり、
管理手段は、ダンボール（２）を関連付けられた顧客（Ｃ）への出荷情報を管理すると共に、
ダンボール（２）の載置に利用した出庫パレット（１）のＩＤを確認する出庫ステップと、
顧客（Ｃ）から回収したパレット（１）のＩＤを確認する回収ステップと、
出庫パレットＩＤと回収パレットＩＤを照合する照合ステップと、
照合の結果未回収のパレットＩＤを知らせる未回収確認ステップと、
未回収パレットＩＤに関連付けられた顧客情報を知らせる顧客情報連絡ステップと
在庫パレット情報とダンボールの商品情報に基づき行う在庫調整ステップと
を備える手段であり、
在庫調整ステップは、少なくとも
在庫生産したダンボールシートの棚札および在庫生産したダンボールケースの棚札を
在庫出荷製品の棚札に付け替える工程を備える
ことを特徴とする管理システム。
【請求項２】
タグ読取無線手段及び／又はバーコード読取手段は、回収時に積み重ねられたパレット（１）を、少なくとも２つ以上まとめて読みとることを特徴とする請求項１記載の管理システム。
【請求項３】
請求項２に記載された管理システムに用いられるパレット（１）であって、少なくとも１つの側面にタグ（３）及びバーコード（５）を備えていることを特徴とするパレット。
【請求項４】
前記タグ（３）は、取付面と視認面（３０）とを備えており、前記視認面（３０）に前記バーコード（５）を設けたことを特徴とする請求項３記載のパレット。
【請求項５】
前記タグ（３）には樹脂加工が施され、防水性を備えていることを特徴とする請求項４記載のパレット。
【請求項６】
前記パレット（１）は略直方体であり２組の対向する側面（１０、１１、１２、１３）を備え、１組目の対向する両側面（１０、１１）にタグ（３）を備え、２組目の対向する側面（１２、１３）の少なくとも一方に手書き箇所（４）を設けたことを特徴とする請求項５記載のパレット。
【発明の詳細な説明】
【技術分野】
【０００１】
本発明は、ダンボールの運搬等に使用される管理システム及びパレットに関するものである。
【背景技術】
【０００２】
パレットは、物品の搬送等を行う際に、物品を載置したり区分したりするものとして用いられている（例えば、特許文献１）。
このパレットは、ダンボールの運搬にも用いられている。しかしながら、ダンボールという物品は頑丈であり低価格であるから、パレットの扱いが丁寧なものではない。
また、ダンボールという梱包材や入れ物を扱う点から、ダンボールを購入する購入者は、パレットも使用できる容器と見なし、ダンボール業者に対して、パレットを返却しない場合が多いという特段の事情があった。
【０００３】
このような状況を鑑み、ダンボール業者は、パレットの回収を確認できるように、従来技術に基づきＩＣタグを用いた管理を行おうとした（例えば、特許文献２）。
しかしながら、ダンボール用パレットの扱いは、丁寧とは言いがたいものであり、ＩＣタグの故障などが発生し、容易に採用できるものではなかった。
【先行技術文献】
【特許文献】
【０００４】
【特許文献１】特許第５３３６８６６号  公報
【０００５】
【特許文献２】特許第４８４１８１７号  公報
【発明の概要】
【発明が解決しようとする課題】
【０００６】
そこでこの発明は、パレットの未返却が多いにもかかわらずＩＣチップの採用が難しいダンボール業界において、コンピューター管理を可能とする管理システム及びパレットを提供するものである。
【課題を解決するための手段】
【０００７】
上記目的を達成するために本件発明は以下の手段を用いた。
（請求項１記載の発明）
請求項１記載の発明は、ダンボールをパレットに載置し、対応する顧客へ出庫した後、前記パレットを回収するための管理システムであって、ダンボールは商品情報を有する棚札を備え、パレットはＩＤ情報を有するタグ及びバーコードを備えるものであり、管理システムは、商品情報読取手段と、タグ読取無線手段と、バーコード読取手段と、顧客情報入力手段と、情報関連付け手段と、情報記憶手段と、管理手段とを備え、商品情報読取手段は、ダンボールの商品情報を読み取る手段であり、タグ読取無線手段及び／又はバーコード読取手段は、パレットのＩＤ情報を読み取る手段であり、顧客情報入力手段は、使用者が顧客情報を入力する手段であり、情報関連付け手段は、商品情報とＩＤ情報と顧客情報のそれぞれを関連付ける手段であり、情報記憶手段は、商品情報とＩＤ情報と顧客情報と関連付け情報とパレットＩＤそれぞれの出庫と回収状態とを記憶する手段であり、管理手段は、ダンボールを関連付けられた顧客への出荷情報を管理すると共に、ダンボールの載置に利用した出庫パレットのＩＤを確認する出庫ステップと、顧客から回収したパレットのＩＤを確認する回収ステップと、出庫パレットＩＤと回収パレットＩＤを照合する照合ステップと、照合の結果未回収のパレットＩＤを知らせる未回収確認ステップと、未回収パレットＩＤに関連付けられた顧客情報を知らせる顧客情報連絡ステップと在庫パレット情報とダンボールの商品情報に基づき行う在庫調整ステップとを備える手段であり、在庫調整ステップは、少なくとも在庫生産したダンボールシートの棚札および在庫生産したダンボールケースの棚札を在庫出荷製品の棚札に付け替える工程を備えることを特徴とする。
（請求項２記載の発明）
請求項２記載の発明は請求項１記載の発明において、タグ読取無線手段及び／又はバーコード読取手段が、回収時に積み重ねられたパレットを、少なくとも２つ以上まとめて読みとることを特徴とする。
【０００８】
（請求項３記載の発明）
請求項３記載の発明は請求項２に記載された管理システムに用いられるパレットであって、少なくとも１つの側面にタグ及びバーコードを備えていることを特徴とする。
（請求項４記載の発明）
請求項４記載の発明は請求項３に記載されたパレットであって、前記タグが、取付面と視認面とを備えており、前記視認面に前記バーコードを設けたことを特徴とする。
（請求項５記載の発明）
請求項５記載の発明は請求項４に記載されたパレットであって、タグには樹脂加工が施され、防水性を備えていることを特徴とする。
（請求項６記載の発明）
請求項６記載の発明は請求項５に記載されたパレットであって、前記パレットが略直方体であり２組の対向する側面を備え、１組目の対向する両側面にタグを備え、２組目の対向する側面の少なくとも一方に手書き箇所を設けたことを特徴とする。
【発明の効果】
【０００９】
（請求項１記載の発明の効果）
請求項１記載の発明を用いると、段ボールに用いたパレットの未回収（紛失）を防ぐことができ、追加購入の費用を抑制することができると共に、パレット上のダンボールをトレースすることができ、在庫調整することができる。パレットからパレットへの製品の積み替えや製造工程でのパレット上の製品を把握することができる。
（請求項２記載の発明の効果）
請求項２記載の発明を用いると、積み重なったパレットのタグ及びバーコードを、ＲＦスキャナ及びハンディーターミナルを用いて、順々に読み込み、回収確認ができる。
【００１０】
（請求項３記載の発明の効果）
請求項３記載の発明を用いると、一度に複数の積み重なったパレット側面を読み込むことができる。
（請求項４記載の発明の効果）
請求項４記載の発明を用いると、パレットに取り付けるタグ表面にバーコードを設けることによって、パレットＩＤの入れ違いなどのミスが減るものとなる。また、パレットが使用寿命となったら、取り換えが簡単なものとなる。
（請求項５記載の発明の効果）
請求項５記載の発明を用いると、雨の日などにおいてもタグの故障などが発生しないものとなる。
（請求項６記載の発明の効果）
請求項６記載の発明を用いると、パレットに手書き欄を設けるものとなりタグとバーコードが同時に使えなくなる場合に対応することができる。
【図面の簡単な説明】
【００１１】
【図１】図１は、ダンボール業界のパレットの移動を示す説明図である。
【図２】図２は、パレットの全体斜視図である。
【図３】図３は、ダンボールを載置したパレットの全体斜視図である。
【図４】図４は、パレットを移動させるフォークリフト側面図である。
【図５】図５は、パレットを運送するトラックの側面図である。
【図６】図６は、管理システムの管理装置の機能一覧図である。
【図７】図７は、管理システムの表示画面及び入力画面図である。
【図８】図８は、在庫調整の流れを示す図面である。
【発明を実施するための形態】
【００１２】
以下にこの発明の管理システム及びパレットを実施例として示す各図と共に説明する。
【実施例１】
【００１３】
〔１．管理システムの基本目的について〕
図１はダンボール業界のパレット１の移動を示す説明図であり、図２はパレット１の全体斜視図である。図３は、ダンボール２を載置したパレットの全体斜視図である。
図１に示すようにダンボール業界において、各ダンボール業者Ｄは、ダンボール２をパレット１に載置し、顧客Ｃへ往路トラックＴ１などを用いて移動し納品し、その後パレット１は復路トラックＴ２などを用いて回収される。前述の納品及び回収において、往路トラックＴ１へパレット１及びダンボール２を積み込む方法として、往路フォークリフトＦ１を用いることを例示することができる。同様に、復路トラックＴ２からパレット１を下す方法として、復路フォークリフトＦ２を用いることが例示できる。フォークリフト（Ｆ１又はＦ２）を用いず作業者がパレット１を移動させてもよい。
これらのパレット１とダンボール２の管理するために、ダンボール２は商品情報を有する棚札２０を備え、パレット１はＩＤ情報を有するタグ３及びバーコード５を備え、管理システムは、商品情報読取手段と、タグ読取無線手段と、バーコード読取手段と、顧客情報入力手段と、情報関連付け手段と、情報記憶手段と、管理手段とを備える。
【００１４】
〔２．パレット１について〕
パレット１は、図２に示すように略直方体であり２組の対向する側面１０，１１，１２，１３を備え、１組目の対向する両側面１０，１１にタグ３を備え、２組目の対向する側面１２，１３の少なくとも一方に手書き箇所４を設けている。少なくとも１つの側面１０にタグ３及びバーコード５を備えたものとしても良いが、側面１０，１１の両方にタグ３及びバーコード５を備えるのが好ましい。タグ３及びバーコード５は、パレット１のＩＤ情報を記録し示すものである。このＩＤ情報を手書き箇所４にスプレー等で手書き記載することもできる。
パレット１の寸法は、代表的なＴ１１型（１１００ｍｍ×１１００ｍｍ×１４４ｍｍ）パレットを例示することができるが、各国、各業界、各業種の企画に合わせた寸法とすることができる。パレット１の材質は、合成樹脂（ポリプロピレン、ポリエチレン）製、木製、金属製、紙製を例示することができる。パレット１は、タグ３の電磁波を吸収せず耐久性のある合成樹脂製とするのが好ましい。
【００１５】
〔３．タグ３について〕
図２に示すように、タグ３は、少なくとも１つの側面１０に設けられるものであり、取付面と視認面３０とネジ孔３１とを備えている。ネジ孔３１を用いてネジ止めされたタグ３の取付面は側面１０と接触する面であり、視認面３０は取付面の裏面である。タグ３の視認面３０にバーコード５を設けるのが好ましい。バーコード５を二次元コードとするとより大きいデータを使用することができる。
視認面３０にバーコード５を備えＩＣチップを内蔵したタグ３として、株式会社サトーのＥＶ２１２Ｒ−ＲＦＩＤプリンタで作成したタグ３を例示することができる。
また、タグ３は、樹脂加工が施され防水性を備えているものが好ましく、ポリアセタール樹脂で防水加工されたタグ３として、サトーマテリアル株式会社のＬＯＧＩＢＡＳＩＣ（登録商標）を例示することができる。この防水タグ３のサイズは、６２.０ｍｍ×９０．０ｍｍ×４．３ｍｍである。防水タグ３の視認面３０にバーコード５を貼着することもできる。
防水タグ３とすると、定期的にパレット１の洗浄を行ったとしても、タグ３の情報が消去しにくいものとなる。
より過酷な状況下で用いる場合、アルミニウムのプレートにバーコード５を印字しバーコード認識のみのタグ３とすることもできる。アルミニウムのプレートにバーコード５を刻印しても良い。
【００１６】
〔４．商品情報読取手段について〕
図３に示すように、パレット１に載置されたダンボール２は、棚札２０を備えている。棚札２０には、ダンボール２の商品情報がバーコード（パレット１のバーコード５とは異なる情報）で示されている。
したがって、商品情報読取手段とは、棚札２０示された商品情報を読み取る、ＲＦスキャナ６又はハンディーターミナル７であり、読み取られた情報は、情報関連付け手段によってパレット１のＩＤ情報と共に関連付けられ情報記憶手段に記憶される。
【００１７】
〔５．タグ読取無線手段とバーコード読取手段について。その１。〕
図４はパレットを移動させるフォークリフト側面図である。
図４に示すように、積み重ねられたパレット１の側面は、連続してタグ３とバーコード５を配置するものとなる。このように、パレット１がフォークリフトＦ（Ｆ１、Ｆ２）に重ねられている態様で作業者が読み取り作業を行うと、パレット１のＩＤ情報の示された複数のタグ３と複数のバーコード５とを、タグ読取無線手段となるＲＦスキャナ６及び／又はバーコード読取手段となるハンディーターミナル７でまとめて読み取ることができる。読み取られた情報は、情報記憶手段に記憶される。
図４に示すハンディーターミナル７は、バーコード専用のものであってもよいし、スマートフォンのカメラ機能を用いたものであってもよい。タグ読取無線手段となるＲＦスキャナ６及びバーコード読取手段となるハンディーターミナル７の双方で読み取る態様とするのが好ましい。このようにすると、タグ３のデータ破損や、バーコード５の汚れによる読み取り不可があったとしても、いずれか一方のデータを読み取ることができる。
タグ３とバーコード５両方の読み取りが不可能な場合であっても、手書き箇所４を目視することにより、作業者が入力することも可能である。
【００１８】
〔６．タグ読取無線手段とバーコード読取手段について。その２。〕
図５はパレットを運送するトラックの側面図である。
トラックＴ（Ｔ１,Ｔ２）にパレット１を載置した場合であっても、フォークリフトＦ（Ｆ１，Ｆ２）載置の場合と同様にパレット１のＩＤ情報を読み取ることができる。
フォークリフトＦ（Ｆ１，Ｆ２）は、パレット１にダンボール２が載置され重量が大きい出荷時（図１のフォークリフトＦ１）に使用されることが多いが、パレット１のみとなった回収時（図１のフォークリフトＦ２）に使用されないことが多い。このような場合であっても、タグ読取無線手段であるＲＦスキャナ６及び／又はバーコード読取手段であるハンディーターミナル７は、回収時に積み重ねられたパレット１を、少なくとも２つ以上まとめて読み取ることができる。
【００１９】
〔７．管理システムのソフトウェア及びハードウェアについて〕
管理システムは、データベース管理ソフトウェアと共に、以下に述べるハードウェアを用いて成り立つものである。データベース管理ソフトウェア（後述する管理手段の一部）として、Ｍｉｃｒｏｓｏｆｔ  Ｏｆｆｉｃｅ  Ａｃｃｅｓｓ（登録商標）、Ｏｒａｃｌｅ  Ｄａｒａｂａｓｅ（登録商標）、ＡＬＴＩＢＡＳＥ（登録商標）などの関係データベース管理システムを用いることができる。
管理システムの管理装置の機能一覧を図６に示し、具体的な表示画面及び入力画面を図７に示す。
【００２０】
〔８．顧客情報入力手段について〕
顧客情報入力手段は、管理システムの情報記憶手段内のデータベースに、使用者が顧客情報を入力する手段である。顧客情報入力手段として具体的には、キーボードでの手打ち入力や、名刺の光学スキャンによる自動入力などを例示することができる。
【００２１】
〔９．情報関連付け手段について〕
情報関連付け手段は、商品情報とＩＤ情報と顧客情報のそれぞれを関連付ける手段であり、データベースソフトの各入力内容に関する関連付けである。
具体的には、図７に示すように、パレットＩＤとなるＮＯ（ナンバー）とパレットの種類、出庫日、入庫日、届け先、ダンボール２の商品情報などが関連付けられている。
【００２２】
〔１０.情報記憶手段について〕
情報記憶手段は商品情報とＩＤ情報と顧客情報と関連付け情報とを記憶する手段であり、具体的には磁気ディスクやフラッシュメモリを例示することができる。
情報記憶手段は、パレットＩＤそれぞれの出庫と回収状態を記憶するのが好ましい。
【００２３】
〔１１.管理手段について〕
管理手段は、ダンボール２を関連付けられた顧客Ｃへの出荷情報を管理すると共に、ダンボール２の載置に利用した出庫パレット１のＩＤを確認する出庫ステップと、顧客Ｃから回収したパレット１のＩＤを確認する回収ステップと、出庫パレットＩＤと回収パレットＩＤを照合する照合ステップと、照合の結果未回収のパレットＩＤを知らせる未回収確認ステップと、未回収パレットＩＤに関連付けられた顧客情報を知らせる顧客情報連絡ステップとを備える。
具体的に管理手段は、棚札２０に記載され商品情報読み取り手段で読み取られた内容とその商品（ダンボール２）が載置されたパレット１のＩＤの内容とキーボードなどの顧客情報入力手段で入力された内容とを関連付けて管理している。
出庫ステップは、図１に示す出庫時にタグ読取無線手段とバーコード読取手段を用いて図４又は図５に示す態様で出庫したパレット１のＩＤを確認し、データベースに入力する。
回収ステップは、図１に示す回収時にタグ読取無線手段とバーコード読取手段を用いて図４又は図５に示す態様で回収したパレット１のＩＤを確認し、データベースに入力する。
照合ステップは、データベースに入力された出庫したパレット１と回収したパレット１とが同じものか否かを照合する。
未回収確認ステップは、前述の照合ステップにおいて出庫と回収のパレットが同じものではない場合、未回収パレットの情報を出力する。
顧客情報連絡ステップは、未回収確認があった場合、図７に示すパレット１の届出先に対して、連絡するための情報を出力する。この連絡についてメール送信や葉書・封筒の書面作成を自動化することもできる。
【００２４】
〔１２.在庫調整ステップについて〕
情報記憶手段は、パレットＩＤそれぞれの出庫と回収状態を記憶し、前記管理手段は、在庫パレット情報とダンボールの商品情報に基づき行う在庫調整ステップを備える管理システムとすることもできる。
具体的には、パレットＩＤと棚札２０の商品情報とを関連づけることにより、棚卸などの在庫調整を簡単に行うことが可能となる。図８に在庫調整の具体的な流れを示す。
【符号の説明】
【００２５】
Ｃ    顧客
Ｄ    ダンボール業者
Ｆ    フォークリフト  （Ｆ１  往路      Ｆ２  復路）
Ｔ    トラック        （Ｔ１  往路      Ｔ２  復路）
１    パレット
１０  側面
１１  側面
１２  ２組目側面
１３  ２組目側面
２    ダンボール
２０  棚札
３    タグ
３０  視認面
３１  ネジ孔
４    手書き箇所
５    バーコード
６    ＲＦスキャナ
７    ハンディーターミナル
【図１】
0006564246.tif 000002
【図２】
0006564246.tif 000003
【図３】
0006564246.tif 000004
【図４】
0006564246.tif 000005
【図５】
0006564246.tif 000006
【図６】
0006564246.tif 000007
【図７】
0006564246.tif 000008
【図８】
0006564246.tif 000009